(57)【要約】【課題】ユーザが地図上で指定した地点の特徴等に応じた適切な情報を表示することができる天気情報表示装置を提供する。【解決手段】本開示による天気情報表示装置は、ユーザが利用する車両等の移動体に搭載され、かつ、地図及びその地図上の各地点の天気情報を提示するものであって、地図上における各地点の天気情報を取得する天気情報取得部と、地図上における各地点の属性情報を保持する属性情報保持部と、ユーザが移動体内で収集した情報を取得する収集情報取得部と、ユーザが移動体内で収集した情報、及び／又は、ユーザが指定した地点の属性情報に基づいて、ユーザが指定した地点について表示する天気情報及びその天気情報に関連する情報の内容を決定する表示制御部と、ユーザが指定した地点について決定された天気情報及びその天気情報に関連する情報の内容を表示する情報表示部とを備える。【選択図】図２
2019158455.tif 000002
【特許請求の範囲】
【請求項１】
ユーザが利用する移動体に搭載され、かつ、地図及び該地図上の各地点の天気情報を提示する天気情報表示装置であって、
前記地図上における各地点の天気情報を取得する天気情報取得部と、
前記地図上における各地点の属性情報を保持する属性情報保持部と、
前記ユーザが前記移動体内で収集した情報を取得する収集情報取得部と、
前記ユーザが前記移動体内で収集した情報、及び／又は、前記ユーザが指定した地点の属性情報に基づいて、前記ユーザが指定した地点について表示する天気情報及び該天気情報に関連する情報の内容を決定する表示制御部と、
前記ユーザが指定した地点について決定された前記天気情報及び該天気情報に関連する情報の内容を表示する情報表示部と、
を備える天気情報表示装置。
【発明の詳細な説明】
【技術分野】
【０００１】
本発明は、天気情報表示装置に関する。
【背景技術】
【０００２】
例えば車両等の移動体に搭載されるナビゲーション装置には、目的地までの経路案内を行うのみでなく、各種の機能を付加したものがある。例えば、特許文献１には、表示部に表示された地図上においてカーソルで指定された地点の天気情報を表示するための天気情報表示機能を備えたナビゲーション装置の一例が記載されている。
【先行技術文献】
【特許文献】
【０００３】
【特許文献１】特開２００３−１４８９７６号公報
【発明の概要】
【発明が解決しようとする課題】
【０００４】
しかし、上記従来の装置では、表示される天気情報が予め定められた一定の内容のものであるため、例えば車両等の移動体に乗車したユーザが求めている有用な情報が表示されなかったり、或いは、ユーザにとって不要な情報が表示されてしまったりすることがあった。
【０００５】
そこで、本発明は、かかる事情に鑑みてなされたものであり、ユーザが地図上で指定した地点の特徴等に応じた適切な情報を表示することができる天気情報表示装置を提供することを目的とする。
【課題を解決するための手段】
【０００６】
上記課題を解決するべく、本開示の一態様に係る天気情報表示装置は、ユーザが利用する車両等の移動体に搭載され、かつ、地図及びその地図上の各地点の天気情報を提示するものであって、地図上における各地点の天気情報を取得する天気情報取得部と、地図上における各地点の属性情報を保持する属性情報保持部と、ユーザが移動体内で収集した情報を取得する収集情報取得部と、ユーザが移動体内で収集した情報、及び／又は、ユーザが指定した地点の属性情報に基づいて、ユーザが指定した地点について表示する天気情報及びその天気情報に関連する情報の内容を決定する表示制御部と、ユーザが指定した地点について決定された天気情報及びその天気情報に関連する情報の内容を表示する情報表示部とを備える。
【０００７】
かかる構成によれば、移動体を利用するユーザが地図上で指定した地点について取得された天気情報の全てが一律に情報表示部に表示されるのではなく、ユーザが移動体内で収集した情報、及び／又は、その指定された地点の属性情報に基づいて決定された天気情報及びその関連情報が情報表示部に選択的に表示される。これにより、ユーザにとって有用かつ適切な情報のみをユーザに提示することができる。
【発明の効果】
【０００８】
本発明によれば、ユーザが地図上で指定した地点の特徴等に応じた適切な情報を表示することが可能となる。
【図面の簡単な説明】
【０００９】
【図１】本実施形態に係る天気情報表示装置としてのナビゲーション装置のハードウェア構成の一例を模式的に示す平面図である。
【図２】本実施形態に係る天気情報表示装置としてのナビゲーション装置の機能構成の一例を模式的に示す平面図である。
【図３】本実施形態に係る本実施形態に係る天気情報表示装置としてのナビゲーション装置における処理手順の一例を示すフローチャートである。
【図４】本実施形態に係る本実施形態に係る天気情報表示装置としてのナビゲーション装置において表示される画面の一例を模式的に示す平面図である。
【発明を実施するための形態】
【００１０】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。
【００１１】
＜天気情報表示装置の構成例＞
［ハードウェア構成］
図１は、本実施形態に係る天気情報表示装置としてのナビゲーション装置１００のハードウェア構成の一例を模式的に示す平面図である。図１の例において、ナビゲーション装置１００は、車両等の移動体に搭載されており、装置本体１０に、少なくとも、位置検知装置２０、及び移動体内情報収集装置３０が接続されたものである。
【００１２】
装置本体１０は、例えば、移動体に搭載されたナビゲーション装置の本体や適宜の情報処理装置（例えば可搬型又は非可搬型のコンピュータであり、ウェブサイト等を閲覧するためのブラウザやエンジンが動作し、それに加えて、ナビゲーション機能を有するアプリケーションソフトが動作するもの）である。
【００１３】
可搬型又は非可搬型のコンピュータとしては、例えば、適宜のインタフェースデバイス及び視認性が高いディスプレイを採用し、且つ、外部ネットワークとの通信機能を有するタブレット型端末（スマートフォンに代表される携帯電話を含む）、ノートブック端末、デスクトップ端末、ワークステーション等が挙げられる。また、装置本体１０は、ハードウェア構成として、制御演算部１０１、通信インタフェース（Ｉ／Ｆ）部１０２、記憶部１０３、入力部１０４、及び出力部１０５を備え、各部は、例えばバスライン１０６を介して相互に通信可能に接続され得る。
【００１４】
制御演算部１０１は、ＣＰＵ（Central Processing Unit）、ＲＡＭ（Random Access Memory）、ＲＯＭ（Read Only Memory）等を含み、ナビゲーション装置１００における情報処理に応じて各構成要素の制御及び各種演算を行う。
【００１５】
通信Ｉ／Ｆ部１０２は、例えば、公衆回線網や無線基地局（何れも図示せず）を介して、無線により、移動体の外部に設置された機器、装置、システム等、例えば、気象情報センタ１等と通信を行うための通信モジュールである。また、通信Ｉ／Ｆ部１０２は、移動体内に設置された、例えば位置検知装置２０及び移動体内情報収集装置３０と有線又は無線により通信するための通信モジュールでもあり、送信装置及び受信装置を含む通信機器から構成されている。さらに、通信Ｉ／Ｆ部１０２としては、携帯電話やＰＨＳ等の外部の独立した通信機器、或いは、移動体に備え付けられた自動車電話等を利用することもできる。
【００１６】
記憶部１０３は、道路地図データベース、地図上の各地点の属性情報データベース、属性に応じた表示項目のデータベースといった各種データベース、制御演算部１０１で実行される各種プログラム（ハードウェアの制御プログラム、画像処理プログラム、各種演算制御プログラム等）、移動体の内外で収集された又は入手した各種情報（気象情報センタ１から取得した天気情報やその関連情報、ユーザが移動体内で見聞したり収集したりした情報等）のデータ、移動体の現在地、目的地、経由地、それらの周辺の位置（所在地座標や高度等）の位置に関するデータ（位置データ）の他、移動体のナビゲーションや情報表示において必要なる各種のデータ等を記憶するためのものである。
【００１７】
ここで、記憶部１０３としては、例えば、フレキシブルディスク、ハードディスク、ソリッド・ステート・ドライブ（ＳＳＤ）、ＣＤ−ＲＯＭ、ＤＶＤ、光ディスク、磁気テープ、ＩＣカード、光カード等の各種記憶媒体を用いることができ、ナビゲーション装置１００の装置本体１０に内蔵されたものであってもよいし、装置本体１０から着脱できるものであってもよい。また、上記の各種演算制御プログラムは、記憶部１０３に記憶された各種情報を用いた処理を実行させるためのプログラムを含むものであり、かかる各種演算制御プログラムが制御演算部１０１で実行されることにより、後述する機能構成例における各機能が実現される。
【００１８】
入力部１０４は、ユーザによる各種指示の入力、各種設定内容や出力部１０５の表示内容の切り換え等の各種入力操作を受け付けて実行するためのインタフェースデバイスであり、例えば、ユーザが音声を発話することにより各種指示を入力するためのマイク、その他、テンキー、操作キー、各種スイッチ、ジョイスティック、リモコン、タッチパネルといった適宜のものから構成されている。より具体的には、例えば、テンキーは、電話番号等の数字入力を行うためのものであり、ジョイスティックは、表示画面上におけるカーソルの移動等を行うための入力手段である。また、タッチパネルを用いることにより、出力部１０５に表示された地図上のアイコン等をユーザが指でタッチすることによって、対応するデータや指示が入力されるように構成することができる。
【００１９】
出力部１０５は、例えば、液晶やＣＲＴ等のディスプレイ、スピーカ等、表示や音声等によりユーザへ各種情報を報知するためのインタフェースデバイスであり、独立して構成されていてもよく、或いは、例えば入力部１０４としてのディスプレイに、入力部１０４としてのタッチパネルを設けるように複合的に構成してもよい。
【００２０】
また、ナビゲーション装置１００の装置本体１０に接続された位置検知装置２０は、移動体の現在地の位置情報を検出するための機能を備えるものであり、移動体の絶対位置を検出するＧＰＳセンサ、移動体の速度を検出する速度センサ、移動体の旋回角速度を検出するジャイロセンサ等から構成されている。
【００２１】
さらに、ナビゲーション装置１００の装置本体１０に接続された移動体内情報収集装置３０は、ユーザが移動体内で視聴したテレビ番組やラジオ番組等の情報（ユーザがアクセスした情報サイト、放送局、番組名、番組内容、視聴時間帯）、又は、移動体内に設置若しくは持ち込まれたマイク等の入力手段により、ユーザが移動体内で聞いた情報を収集（録音）し、また、それらを解析する機能を有する。
【００２２】
［機能構成］
次に、図２は、本実施形態に係る天気情報表示装置としてのナビゲーション装置１００の機能構成の一例を模式的に示す平面図である。
【００２３】
ナビゲーション装置１００の装置本体１０に備わる制御演算部１０１は、記憶部１０３に記憶された各種演算制御プログラムをＲＡＭに展開し、ＲＡＭに展開された各種プログラムをＣＰＵにより解釈及び実行して、各構成要素を制御する。これにより、図２に例示の如く、本実施形態に係るナビゲーション装置１００は、天気情報取得部１１、位置情報取得部１２、収集情報取得部１３、ナビゲーション処理部１４、及び表示制御部１５を備える構成を実現し、また、記憶部１０３が属性情報保持部１６として機能し、出力部１０５が情報表示部１７として機能する。
【００２４】
天気情報取得部１１は、気象情報センタ１との通信により、地図上の各地点（例えば、後記の位置情報取得部１２によって取得される移動体の現在地、目的地、経由地、それらの周辺地等）における天気情報やその関連情報を取得する。
【００２５】
天気情報としては、各地点の例えば所定期間（１日、１週間、１月等）における現時点、１時間毎、半日毎、１日毎等の天気、気温、風速、風向、降水量、湿度、気圧等のデータが挙げられる。また、関連情報としては、各種注意報や警報、台風情報、局地的な降雨又は降雪（いわゆるゲリラ豪雨やゲリラ降雪）や落雷等の有無、雨雲、雪雲、雷雲等の移動予測、高度の差による気温差や気圧差、日差しの強弱、風速等に関するデータが挙げられる。さらに、天気情報取得部１１は、それらのデータを表示制御部１５へ出力する。なお、天気情報取得部１１によって取得されたデータは、必要に応じて、記憶部１０３内に記憶される。
【００２６】
また、天気情報取得部１１が気象情報センタ１と通信するタイミングは、例えば、ナビゲーション装置１００を起動したとき、移動体を始動したとき（車両であればエンジンをかけたとき）、その他、所定時間毎、予め定めた時刻、気象情報センタ１における情報更新時等、所定の間隔で定期的に行ってもよいし、不定期的に行ってもよく、或いは、ユーザがナビゲーション装置１００に天気情報の取得指示を入力したときに実施してもよい。
【００２７】
位置情報取得部１２は、ＧＰＳセンサ、速度センサ、ジャイロセンサ等のセンサ類を含む位置検知装置２０からの出力に基づいて、移動体の現在地を検出する。また、位置情報取得部１２は、移動体の現在地、ユーザの指示による目的地、現在地から目的地までの経由地、及び、それらの周辺地の位置に関するデータ（所在地座標、各地点の高度、地形（平野部、山間部、海浜部））等を取得する。この位置情報取得部１２による現在地の検出、及び、各地の位置に関するデータの取得は、必要に応じて、常に（リアルタイムで）実行される。また、位置情報取得部１２は、それらのデータをナビゲーション処理部１４及び表示制御部１５へ出力する。なお、位置情報取得部１２によって取得されたデータは、必要に応じて、記憶部１０３内に記憶される。また、各地点の位置データ（所在地座標、各地点の高度、地形（平野部、山間部、海浜部））は、その地点の属性情報に追加して記憶してもよい。
【００２８】
収集情報取得部１３は、移動体内情報収集装置３０によって収集された移動体内の情報例えば、ユーザが移動体内で視聴したテレビ番組やラジオ番組等の情報（ユーザがアクセスした情報サイト、放送局、番組名、番組内容、視聴時間帯）、又は、移動体内に設置若しくは持ち込まれたマイク等の入力手段によって収録された情報を取得する。また、収集情報取得部１３は、それらの情報を適宜解析し、例えば、収集情報中に地点の名称（地名）とその地点に関する天気に関する関連情報等が含まれているか否かを判定する。また、収集情報取得部１３は、それらの情報及び解析結果のデータを表示制御部１５へ出力する。なお、収集情報取得部１３によって取得されたデータは、必要に応じて、記憶部１０３内に記憶される。
【００２９】
ナビゲーション処理部１４は、位置情報取得部１２によって取得された位置に関するデータに基づいて、記憶部１０３に記憶された道路地図データベースのデータと、移動体の現在地を照合して、移動体が、道路地図データベース内の地図上のどの地点に該当するかを検出する。また、ナビゲーション処理部１４は、移動体の道路地図上でのナビゲーションを行うための演算処理を行い、必要なナビゲーション画像の表示データや音声データの作成に必要なデータを表示制御部１５へ出力する。このナビゲーションを行うための演算処理としては、例えば、ユーザによって指示された目的地の設定及び検索、現在地から目的地までの経路探索、経路案内等の通常のナビゲーション処理を行う機能や、複数の経路の所要時間及び目的地への到着時刻を推定する処理等が挙げられる。
【００３０】
表示制御部１５は、ナビゲーション処理部１４から出力されたデータに基づいて、ナビゲーション画面やナビゲーション音声のデータを作成し、情報表示部１７としての出力部１０５へ出力する。また、表示制御部１５は、ユーザが入力部１０４（例えばタッチパネルや道路地図上のカーソル）によって指定した道路地図上の地点について、その地点の属性情報を属性情報保持部１６としての記憶部１０３から取得し、また、収集情報取得部１３によって取得されたユーザによる収集情報のうち、その地点に関する情報を取得する。そして、表示制御部１５は、ユーザが指定したその地点に関するユーザによる収集情報、及び／又は、ユーザが指定したその地点の属性情報に基づいて、天気情報取得部１１によって取得した天気情報のうち情報表示部１７に表示する情報を及びその関連情報を選択して決定する。
【００３１】
情報表示部１７は、表示制御部１５からの出力に基づいて、移動体のナビゲーション画面を表示し、必要に応じて、ナビゲーション音声を出力するとともに、ユーザが指定した地点について決定（選択）された天気情報及びその関連情報を、道路地図上に例えばポップアップ表示し、必要に応じて、その情報の内容を音声でも出力する。
【００３２】
＜天気情報表示装置の動作例＞
図３は、本実施形態に係る本実施形態に係る天気情報表示装置としてのナビゲーション装置１００における処理手順の一例を示すフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００３３】
まず、ユーザがナビゲーション装置１００を起動し、タッチパネル付きディスプレイ等の情報表示部１７（出力部１０５）に、移動体の現在地及び周辺地域の道路地図を含むナビゲーション画面を表示する（ステップＳ１０）。
【００３４】
次に、適宜のタイミングで、天気情報取得部１１と気象情報センタ１との通信を行い、天気情報取得部１１により、地図上の各地点（例えば、移動体の現在地、目的地、経由地、それらの周辺等）における天気情報やその関連情報を取得する（ステップＳ２０）。
【００３５】
また、適宜のタイミングで、位置情報取得部１２により、位置検知装置２０からの出力に基づいて、移動体の現在地を検出する（ステップＳ３０）。表示制御部１５は、必要に応じて、情報表示部１７のナビゲーション画面に、移動体の現在地を示すマーク等を表示し、ユーザにより目的地の指定がある場合には、現在地から目的地までの経路、その他の経路候補、予測される所用時間及び到着時刻等を適宜表示する（ステップＳ３０）。  さらに、適宜のタイミングで、収集情報取得部１３により、ユーザが移動体内で視聴した情報及びそれらの解析結果のデータを取得する（ステップＳ４０）。
【００３６】
次いで、ユーザが例えば情報表示部１７のタッチパネルを長押しすることにより、情報表示部１７に表示された道路地図上の所望の地点を指定する（ステップＳ５０）。ユーザによって地点の指定が行われると、表示制御部１５が属性情報保持部１６にアクセスし、指定地点の属性情報とその属性に応じた表示項目を取得する（ステップＳ６０）。ここで、属性情報としては、特に制限されず、例えば、地形（山間部、平野部、海浜部等）、高度、付近の施設（橋梁、構造物等）、特定の環境条件（通常の日照度合い）等が挙げられる。また、属性に応じた表示項目としては、特に制限されず、例えば、海浜部でありかつ海沿いの地点であれば、日差しや風速等が挙げられ、また、指定地点が山間部であり、例えばユーザが利用することができるロープウェイが付近に設置された地点であれば、気温及び気温差やユーザへ推奨する服装条件に関する注意事項（上着の有無等）等が挙げられる。
【００３７】
また、表示制御部１５は、天気情報取得部１１によって取得された各地点の天気情報や付加情報のデータを参照し、それらの情報のなかから、ユーザによる指定地点及びその指定地点の属性に応じた情報を抽出する（ステップＳ７０）。
【００３８】
さらに、表示制御部１５は、収集情報取得部１３によって取得された収集情報及びその解析結果を参照し、ユーザによる指定地点、その周辺地点、目的地、目的地までの経路上の地点（経由地）等に、特定状況が発生していないか否かの判定を行う（ステップＳ８０）。ここで、特定状況としては、特に制限されず、例えば、局地的な降雨又は降雪（いわゆるゲリラ豪雨やゲリラ降雪）や落雷、台風の発生、各種注意報や警報の発報等が挙げられる。
【００３９】
それから、ユーザによる指定地点等に特定状況が発生していないと判定された場合（ステップＳ８０において「いいえ」）、表示制御部１５は、ステップＳ７０で抽出された情報を表示情報として決定し、情報表示部１７に適宜の形態で表示する（ステップＳ９０）。
【００４０】
一方、ユーザによる指定地点等に特定状況が発生していると判定された場合（ステップＳ８０において「はい」）、表示制御部１５は、例えば特定状況の発生フラグをＯＮとする（ステップＳ１００）。そして、表示制御部１５は、ステップＳ７０で抽出された情報に加え、特定状況の発生フラグに基づいて、該当する特定状況の情報を表示情報として決定し、情報表示部１７に適宜の形態で表示する（ステップＳ９０）。
【００４１】
ここで、図４は、本実施形態に係る本実施形態に係る天気情報表示装置としてのナビゲーション装置１００において表示される画面の一例を模式的に示す平面図であり、ステップＳ９０において決定された表示情報が情報表示部１７に表示されている状態の一例を示す。同図に示す如く、ユーザによる指定地点における天気情報等の表示方法は、特に制限されないが、例えばポップアップウィンドウによる表示が挙げられる。
【００４２】
同図において、例えば、ポップアップウィンドウＰ１が表示されている地点は、収集情報から特定状況としてゲリラ豪雨が発生していると判定された地点であり、この場合、情報表示部１７の画面には、気温、降水量、ゲリラ豪雨の原因である雨雲の移動方向の予測（予報）の他、移動体の走行に関する注意事項を含む内容（コンテンツ）が、そのポップアップウィンドウＰ１内に表示される。
【００４３】
また、ポップアップウィンドウＰ２が表示されている地点は、属性が山間部に相当し、ユーザが利用可能なロープウェイが付近に存在する地点であり、この場合、情報表示部１７の画面には、天気、気温、麓との気温差、ユーザの服装条件に関する注意事項を含む内容が、そのポップアップウィンドウＰ２内に表示される。
【００４４】
さらに、ポップアップウィンドウＰ３が表示されている地点は、属性が海沿いに相当する地点であり、この場合、情報表示部１７の画面には、天気、気温、風速、及び日差しの程度（強弱）を含む内容が、そのポップアップウィンドウＰ３内に表示される。
【００４５】
以上のように構成された天気情報表示装置としてのナビゲーション装置１００によれば、移動体のユーザが地図上で指定した地点について、その地点の属性情報や移動体内での収集情報に基づいて、情報表示部１７に表示される内容が選択的に決定される。よって、天気情報取得部１１で取得された天気情報の全てが一律に情報表示部１７に表示されるのではなく、ユーザにとって有用かつ適切な情報のみを取捨選択して、ユーザに提供することができる。したがって、ユーザは、不要な情報を視聴する手間が省けて、所望の情報を確実に把握し易くなり、しかも、情報表示部１７への表示内容を必要なものに絞って簡略化することができるので、表示処理の速度を向上させることも可能となる。
【００４６】
なお、上述したとおり、本発明は、上記の実施の形態、及び、既に述べた変形例に限定されるものではなく、その要旨を逸脱しない範囲内において様々な変形が可能である。すなわち、上記実施形態はあらゆる点で単なる例示にすぎず、限定的に解釈されるものではない。また、上述の各処理フローは処理内容に矛盾を生じない範囲で任意に順番を変更して又は並列に実行することができる。
【００４７】
例えば、図３に示すステップＳ９０における特定状況の発生の有無の判定結果を、天気情報取得部１１によって取得された付加情報と照合してもよいし、特定状況の発生の有無は、天気情報取得部１１によって取得された付加情報のみから判定してもよい。また、ステップＳ８０での収集情報に基づく指定地点等における特定状況の発生の有無の判定、及びステップＳ１００での特定状況のフラグＯＮの処理は、ステップＳ４０において、又は、ステップＳ４０の後であれば、どのタイミングで行ってもよい。その場合、ステップＳ９０における表示内容の決定は、特定状況のフラグのＯＮ／ＯＦＦに基づいて、実施することができる。
【００４８】
さらに、移動体の目的地への経路又は経路の候補として、ユーザによる指定地点を通る移動ルートが存在する場合、その移動ルート上の道路の特性（一般道、高速道、車線数、勾配、舗装路、未舗装路等）を参照し、例えば、その指定地点の天気情報を勘案して走行上の注意事項や迂回路の候補がある場合には、それらの内容を情報表示部１７に表示するようにしてもよい。また、ナビゲーション装置１００は、移動体の外部の各種情報（移動体のナビゲーションや動作制御、又は、自動運転等のユーザ支援に必要となる周辺の画像情報や音情報等）を取得するように構成してもよい。またさらに、図４に示すポップアップウィンドウＰ１〜Ｐ３に表示された内容が音声で読み上げられるようにしてもよい。さらにまた、図４に示す如く、一画面にポップアップウィンドウを複数表示してもよく、１つだけ表示してもよく、複数表示する場合には、目的地までの経路上の地点（経由地）についての情報表示のみでもよく、それに加えて、経路から外れた任意の地点の情報表示を行ってもよい。
【産業上の利用可能性】
【００４９】
以上説明したことから、本開示による天気情報表示装置は、ユーザが利用する車両等の移動体に搭載されるナビゲーション装置等の情報提示装置、及び、かかる移動体や情報提示装置に関連する分野に係るソフトウェア及びハードウェアに関する技術全般、設計、製造、販売、サービスの提供等の活動に、広く且つ有効に利用することができる。
【符号の説明】
【００５０】
１…気象情報センタ、１０…装置本体、１１…天気情報取得部、１２…位置情報取得部、１３…収集情報取得部、１４…ナビゲーション処理部、１５…表示制御部、１６…属性情報保持部、１７…情報表示部、２０…位置検知装置、３０…移動体内情報収集装置、１００…ナビゲーション装置（天気情報表示装置）、１０１…制御演算部、１０２…通信インタフェース（Ｉ／Ｆ）部、１０３…記憶部、１０４…入力部、１０５…出力部、１０６…バスライン、Ｐ１〜Ｐ３…ポップアップウィンドウ、Ｓ１０〜Ｓ１００…ステップ。
【図１】
2019158455.tif 000003
【図２】
2019158455.tif 000004
【図３】
2019158455.tif 000005
【図４】
2019158455.tif 000006